(57)【要約】   【課題】  冊子から抜け落ちることがないほど強固に接着されるとともに、製本の効率性がよい冊子添付用のプラスチックシートを提供すること。   【解決手段】  プラスチックシート本体２の片面又は両面の一端側に設けられた接着剤塗布領域を、紙部材を重合接着してなる冊子４の任意の折丁２４に貼り付けて綴じ込み製本されるプラスチックシート１の接着剤塗布領域の接着剤塗布面を粗面に形成した。【選択図】図２
2005288848.tif 000002
【特許請求の範囲】
【請求項１】
プラスチックシート本体の片面又は両面の一端側に設けられた接着剤塗布領域を、複数の紙部材を重ねてなる冊子の任意のページ面に貼り付けて綴じ込み製本されるプラスチックシートにおいて、
前記接着剤塗布領域の接着剤塗布面を粗面に形成したことを特徴とするプラスチックシート。
【請求項２】
前記プラスチックシート本体の前記接着剤塗布領域の粗面は、中心線平均粗さパラメータによる表面粗さ（Ｒａ）が0.5μｍ以上の粗膜を形成するニス剤またはインキ剤により形成したことを特徴とする請求項１に記載のプラスチックシート。
【請求項３】
前記プラスチックシート本体の前記接着剤塗布領域の粗面は、中心線平均粗さパラメータによる表面粗さ（Ｒａ）が、0.5μｍから0.7μｍの粗膜を形成するニス剤またはインキ剤により形成したことを特徴とする請求項１に記載のプラスチックシート。
【発明の詳細な説明】
【技術分野】
【０００１】
本発明は、冊子に貼り込み製本されるプラスチックシートにかかり、特に、接着剤塗布面に接着補強を施したプラスチックシートに関する。
【背景技術】
【０００２】
雑誌などの紙製冊子に付録として添付されるシール等の付録シートは、従来、紙製のものが多かった。しかし、近年は、デザイン性などの観点からこれら付録シートをポリエチレンテレフタレート（ＰＥＴ）シート等のプラスチックシートで形成し、このようなプラスチックシートをカタログや雑誌等の冊子に添付することが多い。
【０００３】
一般に、付録シート等の別丁を冊子に添付する手法としては、１）全紙を８枚折りや１６枚折りにした状態の製本前の紙面（以下、折丁という）の表面に接着剤で接着し（以下貼り込みという）、この折丁と他の折丁を重ねて綴じる、２）シートを本のページ間に挟んで綴じる、３）シートを折丁と折丁の間に挟んで折丁とともに綴じる、などの手法が採られているが、この中でもシートを折丁の表面に貼り込む１）の手法により製本された冊子は、比較的製本の効率性に優れ、且つ、シートが冊子から外れにくく強固に添付できるものとして知られている。
【０００４】
上記プラスチックシートを添付する場合にも同様に、シートを折丁に貼り込んで綴じる１）の手法が採られているので、この手法により作成した冊子の一例を以下に示す。
【０００５】
図３は、シートが貼り込まれた折丁に、更に他の折丁を重ねて貼り込んだ、従来のシート付冊子を示し、(ａ)は、2層の折丁を貼り込んだシート付冊子を示し、（ｂ）は(ａ)に示すシート付冊子を冊子の背Ａ方向から見た側面図である。
【０００６】
シート付冊子２１は、図３（ａ）に示すようにプラスチックシート２２が折丁２４に接着固定され次層の折丁２５と貼り込んで形成されている。
【０００７】
具体的には、図３（ａ）および（ｂ）に示すように、表面全体が滑らかなプラスチックシート２２の綴じしろ側の一端に設けられた接着剤塗布領域に、プラスチックシート接着用接着剤２３が塗布されていて、折丁２４の綴じしろに揃えて接着されている。更に、プラスチックシート２２が接着された状態の折丁２４と次層の折丁２５とが接着剤２３とは異なる紙部材接着用の貼り込み用接着剤２６で接着されている。
【０００８】
この折丁に更に数部の折丁を重ねて、例えば冊子の背をホットメルト系接着剤等で接着製本する（以下この製本方法を無線綴じという）と、プラスチックシート２２が冊子２１の中程に挟み込み添付された状態になる。  
【発明の開示】
【発明が解決しようとする課題】
【０００９】
上述したシート付冊子のようにプラスチックシートの接着にプラスチックシート用の接着剤を用いるようになるまでは、プラスチックシートを折丁に貼り込むための接着剤にも貼り込み用接着剤を用いていた。
【００１０】
ところがプラスチックシートを、主として紙同士を接着するための貼り込み用の接着剤で接着した場合、製本後にプラスチックシートが冊子から抜け落ちることがしばしば見受けられた。
【００１１】
そこで、シート付冊子２１のように、貼り込み用接着剤２６とは異なるプラスチックシート接着用の接着剤２３でプラスチックシート２２を折丁２４に接着したことで、プラスチックシート２２が冊子２１から抜け落ちるという問題点を解消することができた。
【００１２】
折丁にシート等の別丁を貼り込んだり、他の折丁を貼り込む工程は、接着剤塗布機構と重合接着機構を備えた一台の貼り込み機によってなされていて、折丁に接着剤を塗布し、他の折丁と重合接着する工程が機械式の流れ作業で行われている。貼り込み機は通常１台で複数の貼り込みを行い、且つ、プラスチックシートの貼り込みは稀である。
【００１３】
上記シート付冊子２１の構造によれば、この貼り込み工程の中でプラスチックシート２２を接着するためには、その都度、接着剤交換を行う必要が生じた。
【００１４】
即ち、プラスチックシート貼り込み時には、貼り込み機の糊壺内の接着剤をプラスチックシート接着用の接着剤２３に交換し、このプラスチックシート接着用接着剤２３でプラスチックシート２２を折丁に接着する。
【００１５】
また、通常の紙部材同士の貼り込み時には、糊壺を一度空にした後、糊壺に貼り込み用接着剤２６を戻す必要があった。
【００１６】
このように、製本ラインを一旦停止させて、糊壺内の接着剤を交換することにより、製本にかかる時間が長くなるだけでなく、糊壺の洗浄等接着剤交換に要する労力も多大なものとなった。
【００１７】
本願発明の第一目的は、このような従来の問題に鑑みなされたもので、製本後も冊子から抜け落ちることがなく、強い引っ張り負荷に耐えうる程強固に接着可能であるプラスチックシートを提供しようとするものである。
【００１８】
本願発明の第二の目的は、製本工程において貼り込み機で使用する接着剤を交換することなく、一の貼り込み工程の中でプラスチックシートを冊子に貼り込み添付することができる製本の効率性に優れたプラスチックシートを提供しようとするものである。
【課題を解決するための手段】
【００１９】
本願発明の第一の構成は、請求項１に記載のように,プラスチックシート本体の片面又は両面の一端側に設けられた接着剤塗布領域を、複数の紙部材を重ねてなる冊子の任意のページ面に貼り付けて綴じ込み製本されるプラスチックシートにおいて、前記接着剤塗布領域の接着剤塗布面を粗面に形成したことを特徴とする。
【００２０】
本願発明の第二の構成は、請求項２に記載のように、前記プラスチックシート本体の前記接着剤塗布領域の粗面は、中心線平均粗さパラメータによる表面粗さ（Ｒａ）が0.5μｍ以上の粗膜を形成するニス剤またはインキ剤により形成したことを特徴とする。
【００２１】
本願発明の第三の構成は、請求項３に記載のように、前記プラスチックシート本体の前記接着剤塗布領域の粗面は、中心線平均粗さパラメータによる表面粗さ（Ｒａ）が、0.5μｍから0.7μｍの粗膜を形成するニス剤またはインキ剤により形成したことを特徴とする。
【発明の効果】
【００２２】
請求項１に係る発明によれば、プラスチックシート本体の接着剤塗布面を粗面に形成することで、接着面が滑らかなままの状態に比べて接着面積が増すとともに接着面の摩擦力も増す。よって、紙同士の接着に用いられる貼り込み用の接着剤で接着した場合においてもシートと紙面とを充分強固に接着することができ、製本後も冊子から抜け落ちることがない。
【００２３】
また、貼り込み機で使用する接着剤を、その都度、交換することが必要ないので製本の効率性に優れたプラスチックシートを提供することができる。
特に、折丁同士を接着剤で貼り込む製本方法の場合には、シートの接着と折丁同士の接着の双方に貼り込み用の接着剤を用いることができるので、接着剤自体を特別なプラスチックシート専用のものに変更する必要がなく、製本の流れ作業の中で冊子のページ面に添付が可能な製本の効率性に優れたプラスチックシートを提供することができる。
【００２４】
請求項２に係る発明によれば、プラスチックシート本体を削って粗面に形成する場合に比べて、比較的簡単に接着剤塗布面を粗面に形成することができる。更に、接着に適正な粗膜を形成することができるので接着剤塗布面積が更に大きく確保できるとともに、紙面との接着面積が充分に確保できるので、より強固に接着可能なプラスチックシートを提供することができる。
【００２５】
請求項３に係る発明のように、中心線平均粗さ（Ｒａ）パラメータによる塗布後の表面粗さが0.5μｍ〜0.7μｍとなるニス剤を用いれば、紙部材との接着に最適の粗面を得ることが可能で、最も強固に接着できるプラスチックシートを提供することができる。
【００２６】
従って、製本後にプラスチックシートをミシン目部分から切り取る場合のように、強い引っ張り負荷を加えてもプラスチックシートの接着領域部分が冊子から外れることがない。
【発明を実施するための最良の形態】
【００２７】
本発明の実施の形態を図１および図２に示す。尚、従来例と同じ構成部材には同じ符号を付しその説明を省略する。
【００２８】
図１(ａ)は、本発明の一実施形態を示すプラスチックシートの平面図で、図１（ｂ）は、(ａ)に示すプラスチックシートの接着剤塗布領域の拡大側面図である。  
【００２９】
図１（ａ）に示すプラスチックシート１を構成するプラスチックシート本体２は、本実施の形態において、ポリエチレンテレフタレート（ＰＥＴ）樹脂で形成されていて、例えば、絵柄が印刷されたシート、付録シールを備えたシート、付録を内包できる袋状シートに形成されている。
【００３０】
このプラスチックシート本体２の紙面に貼り付ける面、例えば、接着剤塗布面の綴じしろ側の一端数ｍｍ程度の幅にわたって接着剤塗布領域２ａとし、この接着剤塗布領域２ａは粗面に形成されている。
【００３１】
具体的には、図１（ｂ）に示すように、プラスチックシート本体２に塗着した状態において、粗膜を形成する種類の塗着剤を塗着することにより接着剤塗布面を粗面に形成している。本実施の形態においては、プラスチックシート本体２に塗布乾燥した状態において、粗膜を形成するアクリル酸エステル製のニス剤３が塗布されている。
【００３２】
発明者は、塗布後の表面粗さの異なる3種類のニス剤を表面が滑らかなプラスチックシート本体２に塗布した試料１〜３のプラスチックシートを用意し、このプラスチックシート１を貼り込み用接着剤２６で折丁２４に貼り込み、他の折丁２５と貼りこんで製本した状態において、冊子４から抜け落ちる頻度を測り、接着強度を評価した。
【００３３】
試料１のプラスチックシートは、中心線平均粗さ（Ｒａ）をパラメータとし、中心線平均粗さ測定器（小坂研究所製表面粗さ測定器）、測定距離2.5ｍｍにて測定した表面粗さ（Ｒａ）が0.617μｍ、試料２のプラスチックシートは、上記中心線平均粗さ（Ｒａ）が0.688μｍ、試料３のプラスチックシートは、上記中心線平均粗さ（Ｒａ）が0.499μｍである。
【００３４】
上記試料１〜試料３にかかるプラスチックシートを冊子４に貼り込んだ状態で、冊子４に添付されたプラスチックシートが、冊子４から全く抜け落ちることがない程度に強固に接着されるものを○で表し、殆ど抜け落ちることはないがときどき抜け落ちる程度に接着されるものを△、しばしば抜け落ちる程度に接着されるものを×で示した（表１）。
【００３５】
表１に示すように、試料１のプラスチックシートは、冊子４から全く抜け落ちることがない程度に強固に接着されていた。
【００３６】
試料２のプラスチックシートは、多少の抜け落ちはあったが、殆ど抜け落ちることがなく充分使用に耐えうる。
【００３７】
尚、試料３のプラスチックシートは、冊子４から抜け落ちる頻度が高かった。
【００３８】
従って、中心線平均粗さ（Ｒａ）が0.5μｍ以上の粗膜を形成するニス剤が好適であり、中心線平均粗さ（Ｒａ）が0.617μｍ程度の粗膜を形成するニス剤が最適である。
【００３９】
【表１】
2005288848.tif 000003
【００４０】
尚、本実施の形態においてプラスチックシート本体２は、ポリエチレンテレフタレート（ＰＥＴ）樹脂で形成しているが、ポリエチレン樹脂（ＰＥ）、ポリプロピレン樹脂（ＰＰ）、ポリ塩化ビニル樹脂（ＰＶＣ）等、ＰＥＴ樹脂以外のプラスチック樹脂で形成してもよく、これらの樹脂の合成樹脂を用いてもよい。
【００４１】
更に、粗膜を形成するための塗着剤にはニス剤３を用いているが、ニス剤３と同様の粗膜を形成するインキ剤を塗布してもよい。
【００４２】
図２は、図１に示すプラスチックシート１を、プラスチックシート１よりワンサイズ大きいシート付冊子４に、貼り込み用接着剤２６により接着した状態をシート付冊子４綴じしろ方向から見た側面図である。
【００４３】
プラスチックシート１は、図１に示すニス剤３が塗布されている接着剤塗布領域２ａを介して、一般に用いられている紙部材接着用の澱粉糊等の貼り込み用接着剤２６で、折丁２４の綴じしろに揃えて接着されている。
【００４４】
更に、プラスチックシート１が接着された折丁２４と次層の折丁２５の綴じしろとが貼り込み用接着剤２６で接着されている。このように数部の折丁を重合接着することでシート付冊子４が形成され、プラスチックシート１はシート付冊子４の中程に綴じ込み添付された状態になっている。
【００４５】
プラスチックシート本体２の接着剤塗布領域には、ニス剤３が塗布されて粗面に形成されているので、紙用の貼り込み用接着剤２６で充分強固に折丁２４に接着固定することができる。
【００４６】
従って、プラスチックシート１を折丁２４に接着する場合および折丁同士を接着する場合の双方に貼り込み用接着剤２６を用いることができ、糊壺内の接着剤を変更することなく一の工程で貼り込みをすることができる。
【００４７】
また、冊子４のページ面に強固に接着することができるプラスチックシート１は、製本後に冊子４から抜け落ちることがないばかりか、ミシン目２ｂから切り取る場合のように、強い引っ張り負荷を加えた場合でも冊子４から外れることがない。
【００４８】
尚、本実施の形態においてプラスチックシート１は折丁２４の綴じしろに揃えて接着されているが、接着位置は折丁２４の綴じしろに限定されるものではなくページ面のその他任意の位置に貼り込んでもよい。
【００４９】
更に、本実施の形態において冊子４は、折丁２４、２５の一端を接着剤２６で接着して、例えば冊子の背をホットメルト系接着剤等で接着製本する無線綴じ用の冊子であるが、製本の方法はこれに限られるものではない。
【００５０】
例えば、重ね合わせた紙部材の中央部分をステープルで綴じて、二つ折りにする中綴じや、重ね合わせた紙部材冊子綴じしろをステープルで綴じた平綴じ等のステープルどめや、冊子背面を糸でかがる糸かがり綴じのように、接着剤によらない綴じ方により綴じられた冊子のページ面にプラスチックシート１を貼り込んでもよい。
【００５１】
この場合においてもプラスチックシート１は、充分強固に接着されるので冊子から外れることがない。
【図面の簡単な説明】
【００５２】
【図１】本発明のプラスチックシートの実施の形態を示し、（ａ）はプラスチックシート平面図、（ｂ）は（ａ）に示すプラスチックシートの接着剤塗布領域の拡大図。
【図２】図１に示すプラスチックシートを添付した折丁を丁合いしたシート付冊子の綴じしろ方向から見た側面図。
【図３】従来のシート付冊子を示し（ａ）はシート付冊子の斜視図、（ｂ）は（ａ）に示すシート付冊子の綴じしろ方向から見た側面図。
【符号の説明】
【００５３】
１    プラスチックシート
２    プラスチックシート本体
２ａ  接着剤塗布領域
２ｂ  ミシン目
３    ニス剤
４    シート付冊子
２１    シート付冊子
２２    プラスチックシート
２３    プラスチックシート用接着剤
２４    折丁
２５    折丁
２６    貼り込み用接着剤
【図１】
2005288848.tif 000004
【図２】
2005288848.tif 000005
【図３】
2005288848.tif 000006